【事件の表示】
　平成　８年特許願第１４７０１３号「光ディスク記録再生装置」拒絶査定に対する審判事件［平成　９年１２月２２日出願公開、特開平　９−３３０５１９］について、次のとおり審決する。
【結　論】
　本件審判の請求は、成り立たない。
【理　由】
１．手続の経緯
　
　本願は、平成８年６月１０日の出願であって、平成１３年８月２９日付け拒絶理由通知に対して、平成１３年１１月５日付けで意見書及び補正書が提出されたが、平成１４年１月７日付けで拒絶査定がなされ、これに対し、平成１４年２月１３日に拒絶査定不服の審判請求がなされるとともに、平成１４年３月１５日付けで手続補正が提出されたものである。
　
２．平成１４年３月１５日付けの手続補正についての補正却下の決定
　
〔補正却下の決定の結論〕
　平成１４年３月１５日付けの手続補正（以下、「本件手続補正」という。）を却下する。
　
〔理　由〕
（１）本件手続補正前及び本件手続補正後の本願発明
　本件手続補正は、特許請求の範囲の記載を、本件手続補正前には、
「【請求項１】
記録媒体の所定の位置に試し書きデータを記録パワーを可変しながら記録し、記録された試し書きデータの再生信号から得られる最適の記録パワーに基づいて、記録媒体に正規の情報の記録を行なう情報の記録再生装置において、記録パワーを可変しながら記録する試し書き処理におけるパワースキャン範囲を複数回に分けて処理し、各パワースキャンの試し書きデータの再生信号から得られるデータ（ΔＶ）を基に、最適記録パワーを決定する処理において、基準パワースキャンを設けて試し書き処理の最初のパワースキャンとする際に、基準パワースキャンが試し書き処理でのパワースキャン範囲の最小パワースキャンとし、試し書きデータの再生信号から得られるデータ（ΔＶ）を基に、上記データ（ΔＶ）の値から次のパワースキャン範囲を変えて最適記録パワーを得ることを特徴とする情報の記録再生装置。
【請求項２】
記録媒体の所定の位置に試し書きデータを記録パワーを可変しながら記録し、記録された試し書きデータの再生信号から得られる最適の記録パワーに基づいて、記録媒体に正規の情報の記録を行なう情報の記録再生装置において、記録パワーを可変しながら記録する試し書き処理におけるパワースキャン範囲を複数回に分けて処理し、各パワースキャンの試し書きデータの再生信号から得られるデータ（ΔＶ）を基に、最適記録パワーを決定する際の各パワースキャンにおいて、低パワーから高パワーへと試し書きパワーを変化させることによって、試し書きデータの再生信号から得られるデータ（ΔＶ）を基に、上記データ（ΔＶ）の値から次のパワースキャン範囲を変えて最適記録パワーを得ることを特徴とする情報の記録再生装置。
【請求項３】
記録媒体の所定の位置に試し書きデータを記録パワーを可変しながら記録し、記録された試し書きデータの再生信号から得られる最適の記録パワーに基づいて、記録媒体に正規の情報の記録を行なう情報の記録再生装置において、記録パワーを可変しながら記録する試し書き処理におけるパワースキャン範囲を複数回に分けて処理し、各パワースキャンの試し書きデータの再生信号から得られるデータ（ΔＶ）を基に、最適記録パワーを決定する処理において、上記データ（ΔＶ）の値から次のパワースキャン範囲を変えて試し書き処理を実施するために、各パワースキャンによって得られる上記データ（ΔＶ）の値を判定する際に、各パワースキャンの高パワー側のデータ（ΔＶ）の値から判定を実施し、次のパワースキャン範囲を変えることを特徴とする情報の記録再生装置。
【請求項４】
請求項１から３のいずれかに記載の記録再生装置において、光ヘッド条件に基づいてレーザドライバの出力係数を変えることによって、入力指令値が同一でも出力される記録パワーを増加または減少させて試し書き処理を実行することを特徴とする情報の記録再生装置。」
　
とあったものを、本件手続補正により、
「【請求項１】
記録媒体の所定の位置に試し書きデータを記録パワーを可変しながら記録し、記録された試し書きデータの再生信号から得られる最適の記録パワーに基づいて、記録媒体に正規の情報の記録を行なう情報の記録再生装置において、記録パワーを可変しながら記録する試し書き処理におけるパワースキャン範囲を複数回に分けて処理し、各パワースキャンの試し書きデータの再生信号から得られるデータを基に、最適記録パワーを決定する処理であって、パワースキャン範囲の最小パワーからのパワースキャンを基準パワースキャンとして、試し書きデータの再生信号から得られるデータに基づいて直前のパワースキャン範囲にオーバーラップするように次のパワースキャン範囲を変えて最適記録パワーを得ることを特徴とする情報の記録再生装置。
【請求項２】
記録媒体の所定の位置に試し書きデータを記録パワーを可変しながら記録し、記録された試し書きデータの再生信号から得られる最適の記録パワーに基づいて、記録媒体に正規の情報の記録を行なう情報の記録再生装置において、記録パワーを可変しながら記録する試し書き処理におけるパワースキャン範囲を複数回に分けて処理し、各パワースキャンの試し書きデータの再生信号から得られるデータを基に、最適記録パワーを決定する際の各パワースキャンにおいて、低パワーから高パワーへと試し書きパワーを変化させることによって、試し書きデータの再生信号から得られるデータに基づいて直前のパワースキャン範囲にオーバーラップするように次のパワースキャン範囲を変えて最適記録パワーを得ることを特徴とする情報の記録再生装置。
【請求項３】
記録媒体の所定の位置に試し書きデータを記録パワーを可変しながら記録し、記録された試し書きデータの再生信号から得られる最適の記録パワーに基づいて、記録媒体に正規の情報の記録を行なう情報の記録再生装置において、記録パワーを可変しながら記録する試し書き処理におけるパワースキャン範囲を複数回に分けて処理し、各パワースキャンの試し書きデータの再生信号から得られるデータを基に、最適記録パワーを決定する処理であって、
試し書きデータの再生信号から得られるデータに基づいて直前のパワースキャン範囲にオーバーラップするように次のパワースキャン範囲を変えて試し書き処理を実施する際に、パワースキャンの高パワー側の試し書きデータの再生信号から得られるデータの値に基づいて、直前の直前のパワースキャン範囲にオーバーラップするパワー数を変えることを特徴とする情報の記録再生装置。
【請求項４】
請求項１から３のいずれかに記載の記録再生装置において、光ヘッド条件に基づいてレーザドライバの出力係数を変えることによって、入力指令値が同一でも出力される記録パワーを増加または減少させて試し書き処理を実行することを特徴とする情報の記録再生装置。
【請求項５】
請求項１から３のいずれかに記載の記録再生装置において、前記記録媒体は書き換え可能な記録媒体であることを特徴とする記録再生装置。」
と補正しようとするものである。
　
（２）本件手続補正の検討
　本件手続補正後の請求項１乃至３は、いずれも独立形式で記載された請求項であって、同じく独立形式で記載された本件手続補正前の請求項１乃至３に、それぞれ対応するものである。
　また、本件手続補正後の請求項４は、請求項１乃至３の何れかを引用するものであって、本件手続補正後の請求項４と同一の記載からなる本件手続補正前の請求項４に対応するものである。
　これに対し、本件手続補正後の請求項５については、本件手続補正前のいずれの請求項とも対応しないから、同請求項については、単に追加する補正が行われたものである。すると、本件手続補正は、請求項に記載した発明を特定するために必要な事項を限定することにより特許請求の範囲を減縮したものとすることができず、特許法第１７条の２第４項第二号の規定に該当しないものである。
　さらに、本件手続補正は、特許法第１７条の２第４項の第一号、第三号、及び第四号のいずれにも該当しないことが明かである。
　
（３）本件手続補正についてむすび
　以上のとおりであるから、本件手続補正は、特許法第１７条の２第４項の規定に違反するものであり、特許法第１５９条第１項で準用する特許法第５３条第１項の規定により却下されるべきものである。
　
　
３．本願発明について
（１）本願発明
　平成１４年３月１５日付けの手続補正は上記のとおり却下されたので、本願の請求項１乃至４に係る発明は、平成１３年１１月５日付け手続補正書により補正された明細書の特許請求の範囲の請求項１乃至４に記載されたとおりのものであるところ、請求項１に係る発明（以下、「本願発明１」という）及び請求項２に係る発明（以下、「本願発明２」という）は次のとおりのものである。
　
「【請求項１】
　記録媒体の所定の位置に試し書きデータを記録パワーを可変しながら記録し、記録された試し書きデータの再生信号から得られる最適の記録パワーに基づいて、記録媒体に正規の情報の記録を行なう情報の記録再生装置において、記録パワーを可変しながら記録する試し書き処理におけるパワースキャン範囲を複数回に分けて処理し、各パワースキャンの試し書きデータの再生信号から得られるデータ（ΔＶ）を基に、最適記録パワーを決定する処理において、基準パワースキャンを設けて試し書き処理の最初のパワースキャンとする際に、基準パワースキャンが試し書き処理でのパワースキャン範囲の最小パワースキャンとし、試し書きデータの再生信号から得られるデータ（ΔＶ）を基に、上記データ（ΔＶ）の値から次のパワースキャン範囲を変えて最適記録パワーを得ることを特徴とする情報の記録再生装置。」
「【請求項２】
記録媒体の所定の位置に試し書きデータを記録パワーを可変しながら記録し、記録された試し書きデータの再生信号から得られる最適の記録パワーに基づいて、記録媒体に正規の情報の記録を行なう情報の記録再生装置において、記録パワーを可変しながら記録する試し書き処理におけるパワースキャン範囲を複数回に分けて処理し、各パワースキャンの試し書きデータの再生信号から得られるデータ（ΔＶ）を基に、最適記録パワーを決定する際の各パワースキャンにおいて、低パワーから高パワーへと試し書きパワーを変化させることによって、試し書きデータの再生信号から得られるデータ（ΔＶ）を基に、上記データ（ΔＶ）の値から次のパワースキャン範囲を変えて最適記録パワーを得ることを特徴とする情報の記録再生装置。」
　
（２）引用例
　原査定において引用された特開平５−１４４００４号公報（以下、「引用例」という。）には、図面とともに次の技術事項が記載されている。
　
「【０００１】
【産業上の利用分野】
　本発明は、ＣＤ（Ｃｏｍｐａｃｔ　Ｄｉｓｋ）−ＷＯ（Ｗｒｉｔｅ　Ｏｎｃｅ）装置のようなユーザー側において追加記録が可能な追記形光ディスク記録装置において、光ディスクにデータを記録するためのレーザ光の最適パワーを検出する方法の改良に関するものである。」
　
「【００１２】
【課題を解決するための手段】
　本発明による追記形光ディスクの最適記録パワー検出方法は、光ディスクのアドレス情報が記録されたトラックに、スタート時間情報が記録されたリードインエリアと、追記の回数情報を記録するためのエリアが単位の追記期間毎に区分して設定されたカウントエリアと、パワーレベルを複数段階に切り換えたテスト信号を記録するためのエリアが単位の追記期間毎にほぼ２等分して設定されたテストエリアとを設け、前記リードインエリアのスタート時間情報をもとにして前記カウントエリアをアクセスし、その追記回数情報によって既に何回追記されているかを検出する第１工程と、前記第１工程で検出した情報をもとにして前記テストエリア内の対応する２つのエリアの一方に前記テスト信号を記録して再生し、この再生信号と基準信号との比較出力に基づいて最適記録パワーを検出する第２工程と、この第２工程で最適記録パワーを検出できたときにその検出レベルを含む複数段階レベルのテスト信号を前記テストエリア内の対応する２つのエリアの他方に記録して再生し、その再生信号と基準信号との比較出力に基づいて最適記録パワーを検出する第３工程と、前記第２工程で最適記録パワーを検出できなかったときに前記第２工程のテスト信号のレベルとは異なる複数段階レベルのテスト信号を前記テストエリア内の対応する２つのエリアの他方に記録して再生し、その再生信号と基準信号との比較出力に基づいて最適記録パワーを検出する第４工程と、前記第３または第４工程で検出した最適記録パワー情報を前記カウントエリアの対応するエリアに記録する第５工程とからなることを特徴とするものである。
【００１３】
【作用】
　第２工程において、テストエリア内の対応する２つのエリアの一方に記録するテスト信号の１レベルの記録期間を従来と同じ（例えば１フレーム）としても、この第２工程で最適記録パワーを検出できた場合には、第３工程においてテストエリア内の対応する２つのエリアの他方に記録するテスト信号の１レベルの記録期間を従来より長く（例えば２フレーム）できるので、光ディスク上の傷や埃などによる検出ミスを減少させることができる。
【００１４】
　しかも、第２工程において最適記録パワーが検出できなかった場合でも、第４工程においてテストエリア内の対応する２つのエリアの他方に記録するテスト信号の１レベルの記録期間を従来と同じ（例えば１フレーム）にすることによって、最適記録パワーの検出ミスをなくし、誤ったパワーによる記録ミスを減少させることができる。
【００１５】
【実施例】
　以下、本発明による追記形光ディスクの最適記録パワー検出方法の一実施例を図１及び図２を用いて説明する。
　（イ）第１工程では、まず、図２に示す光ディスク１０のリードインエリア１２からスペシャルインフォメーションデータ（スタート時間情報Ｔｓや推奨記録パワーＰｒを含む）を読み込み、このスペシャルインフォメーションデータ中のスタート時間情報Ｔｓ（００：００：００（分：秒：フレーム））に基づいてＰＣＡ内のカウントエリア１４をアクセスする。例えばカウントエリア１４内の１番目のエリアをアクセスするときのアドレス情報はＴｓ−００：１３：５５となる。
【００１６】
　このカウントエリア１４へのアクセスにより追記回数情報を読み出し、既に何回追記されているかを検出する。例えば、１番目から１００番目までのエリアのうちのＮ番目（例えば５０番目）のエリアまでＥＦＭ信号が記録されているものとすると、追記回数Ｎ（例えば５０回）が検出される。
【００１７】
　（ロ）つづくで第２工程では、まず、カウントエリア１４内の追記回数情報ＮをもとにしてＰＣＡのテストエリア１６内のＮ＋１番目のエリアをほぼ２等分した一方の領域ａをアクセスする。このテストエリア１６へのアクセスにより、パワーレベルを推奨記録パワーＰｒを中心とした７段階のテスト信号（例えばＥＦＭ信号）が、１レベル１フレームの割合で、テストエリア１６のＮ＋１番目のエリア内の領域ａに記録される。
【００１８】
　（ハ）ついで、前記（ロ）によって記録されたテストエリア１６内のＮ＋１番目のエリア（例えば５１番目のエリア）内の領域ａからパワーレベルが複数段階に異なるテスト信号が再生される。そして、この再生信号と基準信号との比較出力によって最適記録パワーＰｏａが検出されることになるが、最適記録パワーＰｏａが検出できたときはつぎの（ニ）の第３工程に進み、最適記録パワーＰｏａが検出できなかったときは後述する（ホ）の第４工程に進む。
【００１９】
　（ニ）前記（ハ）において最適記録パワーＰｏａが検出できたときの次ぎの段階である第３工程では、前記（ハ）で検出された最適記録パワーＰｏａを中心とした少ない段階数（例えば４段階）のテスト信号（例えばＥＦＭ信号）が、８フレームについて１レベル、２フレーム期間の割合で、テストエリア１６のＮ＋１番目のエリア内の領域ｂに記録される。ついで、このＮ＋１番目のエリア内の領域ｂからテスト信号が再生される。そして、この再生信号と基準信号との比較出力によって最適記録パワーＰｏｂが検出される。
【００２０】
　（ホ）前記（ハ）において最適記録パワーＰｏａが検出できなかったときの次ぎの段階である第４工程では、前記（ニ）のテスト信号とは異なる複数段階（例えば８段階）の記録パワーのテスト信号（例えばＥＦＭ信号）が、８フレーム期間について１レベル、１フレーム期間の割合で、テストエリア１６のＮ＋１番目のエリア内の領域ｂに記録される。ついで、このＮ＋１番目のエリア内の領域ｂからテスト信号が再生される。そして、この再生信号と基準信号との比較出力によって最適記録パワーＰｏｂが検出される
【００２１】
　この最適記録パワーＰｏａが検出できなかったときのテスト信号は、次ぎのように選択される。すなわち、前記（ハ）における再生信号と基準信号との比較出力がすべてＬレベルのときは、このときのテスト信号のレベルが高すぎたので、前記（ニ）のテスト信号より低いレベル側の複数段階（例えば８段階）の記録パワーのテスト信号が選択され、前記（ハ）における再生信号と基準信号との比較出力がすべてＨレベルのときは、このときのテスト信号のレベルが低すぎたので、前記（ニ）のテスト信号より高いレベル側の複数段階（例えば８段階）の記録パワーのテスト信号が選択される。
【００２２】
　（ヘ）ついで、前記（ニ）の第３工程または前記（ホ）の第４工程によって検出された最適記録パワーＰｏｂを持つＥＦＭ信号が、最適記録パワー情報としてカウントエリア１４内のＮ＋１番目のエリアに記録される。以上により、単位の追記期間についての最適記録パワー検出が終了し、以下これが繰り返される。
【００２３】
　前記実施例では、第２工程のテスト信号は、リードインエリアの推奨記録パワーＰｒを中心とした７段階のレベルとしたが、本発明はこれに限るものでなく、推奨記録パワーＰｒ以外の記録パワーを中心とした複数段階のレベルの信号であればよい。」
　
　上記記載事項及び図面の記載を総合勘案すると、上記引用例には、結局次の発明が記載されている。
　
　「CD(Compact Disk)−WO(Write Once) 装置のような追記型光ディスク記録装置において、光ディスクのテストエリアに、パワーレベルを複数段階に切り替えたテスト信号を記録し、再生信号と基準信号との比較出力により、光ディスクにデータを記録するための最適記録パワーが検出される追記型光ディスク記録装置において、
テストエリアをほぼ２等分して領域ａ、領域ｂに分け、まず領域ａに、パワーレベルを推奨記録パワーＰｒを中心とした７段階、または推奨記録レベルＰｒ以外の記録パワーを中心とした複数段階のレベルのテスト信号を記録し、前記領域ａから前記テスト信号を再生し、再生されたテスト信号と基準信号との比較出力によって最適記録パワーＰｏａが検出できたときは、最適記録パワーＰｏａを中心にした少ない段階数のテスト信号を領域ｂに記録し、同領域ｂから再生されたテスト信号と基準信号の比較により最適記録パワーＰｏｂを検出し、最適記録パワーＰｏａが検出できなかったときは前記テスト信号とは異なる複数段階の記録パワーのテスト信号を領域ｂに記録し、同領域ｂから再生されたテスト信号と基準信号の比較により最適記録パワーＰｏｂを検出することを特徴とする追記型光ディスク記録装置。」
　
　（３）対　比
　本願発明１及び２と、引用例に記載された発明とを対比する。
　引用例に記載された発明における「CD(Compact Disk)−WO(Write Once)」 は、本願発明１及び２における「記録媒体」に相当する。
　引用例に記載された発明における「テストエリア」は、本願発明１及び２における「記録媒体の所定の位置」に相当する。
　引用例に記載された発明における「テスト信号」及び「パワーレベルを複数段に切り替えたテスト信号を記録」する点は、それぞれ本願発明１及び２における「試し書きデータ」及び「記録パワーを可変しながら記録」することに相当する。
　引用例に記載された発明における「再生信号と基準信号との比較出力により最適記録パワーが検出される」ことは、本願発明１及び２において「記録された試し書きデータの再生信号から」、「最適の記録パワー」を得ることに相当する。
　引用例に記載された発明における「光ディスクにデータを記録するための最適記録パワー」は、当該最適記録パワーに基づいて光ディスクにデータを記録するものであり、また、ここでいう「データ」はテスト信号ではない点において、「正規の」ものであるから、結局、本願発明１及び２における「最適の記録パワーに基づいて、記録媒体に正規の情報の記録を行う」ことに相当する。
　引用例に記載された発明における「テストエリアをほぼ２等分して領域ａ、領域ｂに分け、まず領域ａに、パワーレベルを推奨記録パワーＰｒを中心とした７段階、または推奨記録レベルＰｒ以外の記録パワーを中心とした複数段階のレベルのテスト信号を記録し、前記領域ａから前記テスト信号を再生し、再生されたテスト信号と基準信号との比較出力によって最適記録パワーＰｏａが検出できたときは、最適記録パワーＰｏａを中心にした少ない段階数のテスト信号を領域ｂに記録し、同領域ｂから再生されたテスト信号と基準信号の比較により最適記録パワーＰｏｂを検出し、最適記録パワーＰｏａが検出できなかったときは前記テスト信号とは異なる複数段階の記録パワーのテスト信号を領域ｂに記録し、同領域ｂから再生されたテスト信号と基準信号の比較により最適記録パワーＰｏｂを検出する」ことは、本願発明１及び２における「記録パワーを可変しながら記録する試し書き処理におけるパワースキャン範囲を複数回に分けて処理し、各パワースキャンの試し書きデータの再生信号から得られるデータを基に、最適記録パワーを決定する」ことに相当する。
　引用例に記載された発明における「まず領域ａに、パワーレベルを推奨記録パワーＰｒを中心とした７段階、または推奨記録レベルＰｒ以外の記録パワーを中心とした複数段階のレベルのテスト信号を記録」することは、最初に行われる処理であることから、本願発明１において「基準パワースキャンを設けて試し書き処理の最初のパワースキャンとする」ことに相当する。
　さらに、引用例に記載された発明における「領域ａからテスト信号を再生し、再生されたテスト信号と基準信号との比較出力によって最適記録パワーＰｏａが検出できたとき」と、「最適記録パワーＰｏａが検出できなかったとき」とでその後の処理を異ならせていること、即ち、前者の場合には「最適記録パワーＰｏａを中心にした少ない段階数のテスト信号を領域ｂに記録し、同領域ｂから再生されたテスト信号と基準信号の比較により最適記録パワーＰｏｂを検出」するのに対し、後者の場合には「前記テスト信号とは異なる複数段階の記録パワーのテスト信号を領域ｂに記録し、同領域ｂから再生されたテスト信号と基準信号の比較により最適記録パワーＰｏｂを検出する」としていることは、本願発明１及び２における「試し書きデータの再生信号から得られるデータを基に、上記データの値から次のパワースキャン範囲を変えて最適記録パワーを得る」ことに相当する。
　また、引用例に記載された発明における「追記型光ディスク記録装置」は、本願発明１及び２における「情報の記録再生装置」に相当する。
　
　そうすると、本願発明１と引用例に記載された発明とは次の点で一致する。
　一致点１
「記録媒体の所定の位置に試し書きデータを記録パワーを可変しながら記録し、記録された試し書きデータの再生信号から得られる最適の記録パワーに基づいて、記録媒体に正規の情報の記録を行なう情報の記録再生装置において、記録パワーを可変しながら記録する試し書き処理におけるパワースキャン範囲を複数回に分けて処理し、各パワースキャンの試し書きデータの再生信号から得られるデータを基に、最適記録パワーを決定する処理において、基準パワースキャンを設けて試し書き処理の最初のパワースキャンとし、試し書きデータの再生信号から得られるデータを基に、上記データの値から次のパワースキャン範囲を変えて最適記録パワーを得ることを特徴とする情報の記録再生装置。」
　一方、本願発明１と引用例に記載された発明とは次の点で相違する。
　相違点１
　「基準パワースキャン」について、本願発明においては「試し書き処理でのパワースキャン範囲の最小パワースキャン」としているのに対し、引用例に記載された発明ではそのように特定されていない点。
　
　また、本願発明２と引用例に記載された発明とは次の点で一致する。
　＜一致点２＞
　「記録媒体の所定の位置に試し書きデータを記録パワーを可変しながら記録し、記録された試し書きデータの再生信号から得られる最適の記録パワーに基づいて、記録媒体に正規の情報の記録を行なう情報の記録再生装置において、記録パワーを可変しながら記録する試し書き処理におけるパワースキャン範囲を複数回に分けて処理し、各パワースキャンの試し書きデータの再生信号から得られるデータを基に、最適記録パワーを決定し、試し書きデータの再生信号から得られるデータを基に、上記データの値から次のパワースキャン範囲を変えて最適記録パワーを得ることを特徴とする情報の記録再生装置。
　一方、本願発明２と引用例に記載された発明とは次の点で相違する
　＜相違点２＞
　本願発明２においては、「各パワースキャンにおいて、低パワーから高パワーへと試し書きパワーを変化させる」としているのに対し、引用例に記載された発明には、そのような点について明記がない点。
　
（４）判　断
　そこで、上記相違点１及び２について検討する。
　
　（i）相違点１について
　引用例には、既に掲げた第【００２３】段落に、「前記実施例では、第２工程のテスト信号は、リードインエリアの推奨記録パワーＰｒを中心とした７段階のレベルとしたが、本発明はこれに限るものでなく、推奨記録パワーＰｒ以外の記録パワーを中心とした複数段階のレベルの信号であればよい。」と記載されていることからすると、複数段階のレベルからなるテスト信号の当該レベルの範囲に格別の制約のないことは明らかで、前記「推奨記録パワーＰｒ以外の」最小パワーを選択することは適宜できるものであるから、引用例に記載された発明において、最初に行われるスキャン動作を最小パワー範囲から始めるように選択して、上記相違点１のように設定することは、当業者が容易に想到しうるものである。
　また、小さなパワーで書き込みを行う場合には、記録媒体に対してオーバーパワーになるおそれが少ないという作用効果についても、基準パワーを設定するに際してこのようなリスク回避は当然であることからも当業者が容易に予測し考慮する範囲のものにすぎない。
　
　（ii）相違点２について
　引用例には、各パワースキャンにおける試し書きパワーの変化について、文言での明記はないもの、テスト信号について「複数段階のテスト信号」とあること、また、図２に記載されたＮ＋１番目のテストエリアの各領域ａ及びｂ、並びに図４に記載されたＮ＋１番目のテストエリアのそれぞれに示されたテスト信号のパワーレベル変化を参照すれば、当該パワーレベルを順次変化させていることが当業者にとって当然のことにすぎないから、上記相違点２のように単に前記順次の変化を低パワーから高パワーへと変化させることは、当業者が容易に想到しうるものである。
　
（５）むすび
　以上のとおり、本願請求項１及び２に係る発明は、引用例に記載された発明に基づいて当業者が容易に発明をすることができたものであるから、特許法第２９条第２項の規定により特許を受けることができない。
　したがって、本願は、その余の請求項に係る発明について言及するまでもなく、拒絶すべきものである。
　よって、結論のとおり審決する。